(57)【要約】【課題】幅木を構成する幅木用部材の連結を容易にすると共に、幅木用部材に設ける中空部をなるべく少なくして防塵及び気水密性の向上を図れるようにした幅木の取付構造を提供する。【解決手段】幅木を構成する幅木用部材１０と、この幅木用部材の端部同士を連結する連結部材２０とを具備する。幅木用部材は、壁部４の表面に当接される上部垂直部１１と、この上部垂直部の下端に延在し、壁部と床スラブ１の表面に当接される下部裾部１２と、この下部裾部に長手通しに設けられる中空部１３と、を具備する。連結部材２０は、隣接する幅木用部材の中空部内に嵌挿される一対の嵌合突部２２を突設する基部２１と、この基部から壁部側及び床スラブ側に突出するリブ部２３と、を具備する。幅木用部材の上部垂直部を固定ねじ３０にて壁部に固定し、隣接する幅木用部材の中空部内に連結部材の嵌合凸部を嵌挿して幅木用部材同士を連結する。【選択図】    図２
2014105526.tif 000002
【特許請求の範囲】
【請求項１】
壁部の最下部と床部との間に配置される幅木の取付構造であって、
前記幅木を構成する幅木用部材と、この幅木用部材の端部同士を連結する連結部材とを具備し、
前記幅木用部材は、前記壁部の表面に当接される上部垂直部と、この上部垂直部の下端に延在し、前記壁部と床部の表面に当接される下部裾部と、この下部裾部に長手通しに設けられる中空部と、を具備し、
前記連結部材は、隣接する前記幅木用部材の前記中空部内に嵌挿される一対の嵌合突部を突設する基部と、この基部から前記壁部側及び前記床部側に突出するリブ部と、を具備し、
前記上部垂直部を固定部材にて前記壁部に固定し、隣接する前記幅木用部材の中空部内に前記連結部材の嵌合凸部を嵌挿して幅木用部材同士を連結する、
ことを特徴とする幅木の取付構造。
【請求項２】
請求項１記載の幅木の取付構造において、
前記幅木用部材に設けられる前記中空部は、少なくとも前記壁部の表面に当接される垂直面及び前記床部の表面に当接される水平面と平行な垂直内面及び水平内面を有する断面略三角形状に形成され、
前記連結部材に設けられる前記嵌合突部は、前記中空部の垂直内面及び水平内面に接触する垂直面及び水平面を有する断面略三角形状に形成され、前記リブ部は、前記垂直面及び水平面に平行な垂直片と水平片とからなる、
ことを特徴とする幅木の取付構造。
【請求項３】
請求項１又は２に記載の幅木の取付構造において、
前記連結部材は、前記基部に突設される一対の嵌合突部が互いに直交状に形成されていることを含む、ことを特徴とする幅木の取付構造。
【請求項４】
請求項１ないし３のいずれかに記載の幅木の取付構造において、
前記連結部材にて連結される前記幅木用部材の連結部における前記連結部材のリブ部によって生じた隙間にコーキング材を充填してなる、ことを特徴とする幅木の取付構造。
【請求項５】
請求項１ないし４のいずれかに記載の幅木の取付構造において、
前記幅木用部材の上部垂直部の表面に、長手通しの凹状取付溝部を形成し、この凹状取付溝部の底部に拡径テーパ状の取付孔を設け、前記固定部材を前記取付孔内に嵌合される皿状頭部を有するねじ部材にて形成し、前記凹状取付溝部の開口部に前記固定部材の頭部を覆う化粧板を被着してなる、ことを特徴とする幅木の取付構造。
【発明の詳細な説明】
【技術分野】
【０００１】
この発明は、壁部の最下部と床部との間に配置される幅木の取付構造に関するものである。
【背景技術】
【０００２】
一般に、建物内部の壁部の最下部と床部との間には、隙間を隠すために幅木が配置されている。また、例えば実験室，食品加工室やクリーンルーム等においては、幅木の配置箇所に防塵及び気水密性を持たせている。
【０００３】
従来、壁部の長さに合わせて幅木を配置するためには、幅木を構成する幅木用部材を接合する必要がある。そのため、幅木用部材の端部同士を当接し、その当接部にコーキング材を充填して接合(連結)する手法が採用されている。しかし、コーキング材を充填して接合する手法においては、幅木用部材の接合部にずれが生じ易く施工が面倒である。また、接合部にずれが生じた場合、コーキング材を十分に充填することができず、外観上の問題があるばかりか、接合部に塵埃が付着する懸念があった。
【０００４】
幅木用部材の接合を容易にするために、幅木用部材に長手方向に貫通する複数の中空部を形成し、幅木用部材を連結する接続部材に、前記中空部内に挿入される突片を形成し、接続部材の突片を隣接する幅木用部材の中空部内に挿入して幅木用部材を接続（連結）する構造が知られている（例えば、特許文献１参照）。
【先行技術文献】
【特許文献】
【０００５】
【特許文献１】特開平１０−２９２６１２号公報
【発明の概要】
【発明が解決しようとする課題】
【０００６】
しかしながら、特許文献１に記載の構造においては、幅木用部材間に幅木用部材と同じ高さの接続部材が位置するため、幅木用部材の接続部(連結部)に塵埃が付着し易い上、接続部材が目立ち外観が損なわれる問題がある。また、幅木用部材には複数の中空部が設けられるため、接続部(連結部)の気水密性が損なわれる上、中空部に塵埃が付着する懸念がある。
【０００７】
この発明は前記事情に鑑みてなされたもので、幅木用部材の連結を容易にすると共に、幅木用部材に設ける中空部をなるべく少なくして防塵及び気水密性の向上を図れるようにした幅木の取付構造を提供することを目的とする。
【課題を解決するための手段】
【０００８】
前記課題を達成するために、この発明の幅木の取付構造は、壁部の最下部と床部との間に配置される幅木の取付構造であって、前記幅木を構成する幅木用部材と、この幅木用部材の端部同士を連結する連結部材とを具備し、前記幅木用部材は、前記壁部の表面に当接される上部垂直部と、この上部垂直部の下端に延在し、前記壁部と床部の表面に当接される下部裾部と、この下部裾部に長手通しに設けられる中空部と、を具備し、前記連結部材は、隣接する前記幅木用部材の前記中空部内に嵌挿される一対の嵌合突部を突設する基部と、この基部から前記壁部側及び前記床部側に突出するリブ部と、を具備し、前記上部垂直部を固定部材にて前記壁部に固定し、隣接する前記幅木用部材の中空部内に前記連結部材の嵌合凸部を嵌挿して幅木用部材同士を連結する、ことを特徴とする（請求項１）。
【０００９】
このように構成することにより、連結部材に突設された嵌合突部を幅木用部材に設けられた中空部内に嵌挿して隣接する幅木用部材を連結した状態で、連結部材に設けられたリブ部を壁部側及び床部側に配置することができる。
【００１０】
この発明において、前記幅木用部材に設けられる前記中空部は、少なくとも前記壁部の表面に当接される垂直面及び前記床部の表面に当接される水平面と平行な垂直内面及び水平内面を有する断面略三角形状に形成され、前記連結部材に設けられる前記嵌合突部は、前記中空部の垂直内面及び水平内面に接触する垂直面及び水平面を有する断面略三角形状に形成され、前記リブ部は、前記垂直面及び水平面に平行な垂直片と水平片とからなるのが好ましい（請求項２）。
【００１１】
このように構成することにより、幅木用部材に設けられた中空部の垂直内面と水平内面の連結部材に設けられた嵌合突部の垂直面と水平面を密接させた状態で嵌合することができると共に、リブ部の垂直片と水平片を壁部と床部に直交状に配置することができる。
【００１２】
また、この発明において、前記連結部材は、前記基部に突設される一対の嵌合突部が互いに直交状に形成されていることを含むのが好ましい（請求項３）。
【００１３】
このように構成することにより、幅木用部材を直線状に連結する以外に、壁部の出隅部又は入隅部においても幅木用部材を連結することができる。
【００１４】
また、この発明において、前記連結部材にて連結される前記幅木用部材の連結部における前記連結部材のリブ部によって生じた隙間にコーキング材を充填するのが好ましい（請求項４）。
【００１５】
このように構成することにより、リブ部がバックアップ材となって幅木用部材の連結部の隙間にコーキング材を充填することができる。
【００１６】
加えて、この発明において、前記幅木用部材の上部垂直部の表面に、長手通しの凹状取付溝部を形成し、この凹状取付溝部の底部に拡径テーパ状の取付孔を設け、前記固定部材を前記取付孔内に嵌合される皿状頭部を有するねじ部材にて形成し、前記凹状取付溝部の開口部に前記固定部材の頭部を覆う化粧板を被着してなるのが好ましい（請求項５）。
【００１７】
このように構成することにより、幅木用部材に設けられた凹状取付溝部の拡径テーパ状の取付孔を貫通する固定ねじによって幅木用部材を壁部に固定することができ、固定ねじの頭部を化粧板によって目隠しすることができる。
【発明の効果】
【００１８】
この発明によれば、前記のように構成されているので、以下のような顕著な効果が得られる。
【００１９】
（１）請求項１記載の発明によれば、連結部材に突設された嵌合突部を幅木用部材に設けられた中空部内に嵌挿して隣接する幅木用部材を連結した状態で、連結部材に設けられたリブ部を壁部側及び床部側に配置することができるので、幅木用部材同士の連結を容易にすることができると共に、幅木用部材に設ける中空部をなるべく少なくして防塵及び気水密性の向上を図ることができる。
【００２０】
また、連結部材を幅木用部材に嵌合して連結するため、幅木用部材同士の位置ずれが起きにくく、優れた外観を呈することができる。また、連結部材が幅木用部材の表面に露出しないため、外観上連結部材が見えず、優れた外観を呈することができる。
【００２１】
更には、連結部材のリブ部を、コーキング材が充填されにくい壁部側や床部側に設けることで、コーキング材の充填効率の向上及びそれに伴う気水密性の向上を図ることができる。
【００２２】
（２）請求項２記載の発明によれば、幅木用部材に設けられた中空部の垂直内面と水平内面の連結部材に設けられた嵌合突部の垂直面と水平面を密接させた状態で嵌合することができると共に、リブ部の垂直片と水平片を壁部と床部に直交状に配置することができるので、前記（１）に加えて更に幅木用部材の連結を強固にできると共に、防塵及び気水密性の向上を図ることができる。
【００２３】
（３）請求項３記載の発明によれば、上記（１），（２）に加えて更に壁部の出隅部や入隅部における幅木用部材の連結を容易にすることができる。
【００２４】
（４）請求項４記載の発明によれば、リブ部がバックアップ材となって幅木用部材の連結部の隙間にコーキング材を充填することができるので、上記（１）〜（３）に加えて更にコーキング材の充填を容易にすることができると共に、防塵及び気水密性の向上が図れる。
【００２５】
（５）請求項５記載の発明によれば、幅木用部材に設けられた凹状取付溝部の拡径テーパ状の取付孔を貫通する固定ねじによって幅木用部材を壁部に固定することができ、固定ねじの頭部を化粧板によって目隠しすることができるので、上記（１）〜（４）に加えて更に幅木用部材の壁部への固定を容易にすることができ、固定部材の頭部に塵埃が付着するのを抑制することができると共に、外観が損なわれるのを防止することができる。
【図面の簡単な説明】
【００２６】
【図１】この発明に係る幅木の取付構造の一例を示す概略斜視図である。
【図２】この発明に係る幅木の取付構造を示す断面図（ａ）及び（ａ）のＩ部拡大断面図（ｂ）である。
【図３】幅木の取付部を示す正面図である。
【図４】図３のII−II線に沿う断面図である。
【図５】図３のIII−III線に沿う断面図である。
【図６】この発明における幅木用部材と連結部材を示す分解斜視図である。
【図７】出隅用連結部材の上面斜視図（ａ）、下面斜視図（ｂ）、正面図（ｃ）及び底面図（ｄ）である。
【図８】前記出隅用連結部材を用いた幅木の取付部の一部を断面で示す平面図である。
【図９】入隅用連結部材の斜視図（ａ）、正面図（ｂ）及び底面図（ｃ）である。
【図１０】前記入隅用連結部材を用いた幅木の取付部の一部を断面で示す平面図である。
【発明を実施するための形態】
【００２７】
以下に、この発明を実施するための形態について、添付図面に基づいて詳細に説明する。
【００２８】
この発明に係る幅木の取付構造は、図１ないし図５に示すように、床部である床スラブ１の適宜の位置にアンカーボルト２によって固定されるチャンネル状の下部ランナー３に立設される壁部４の最下部の表面と、床スラブ１の表面に配置される幅木を構成する幅木用部材１０と、幅木用部材１０の端部同士を連結する連結部材２０とを具備し、幅木用部材１０の連結部にコーキング材４０を充填して気水密を維持する構造となっている。
【００２９】
この場合、壁部４は下部ランナー３の内方に適宜間隔をおいて立設される縦枠（図示せず）が固定されて、複数の縦枠によって壁部４が骨組みされている。この壁部４は、例えば石膏ボードや発泡ポリウレタン等の断熱心材４ａの表面に例えば鋼板又はアルミニウム板等の表面板４ｂを接着したパネルにて形成されている。
【００３０】
また、床スラブ１の表面には、例えば塩化ビニル等の合成樹脂製の塗床材１ａが敷設され、塗床材１ａの壁部４側端部にはスポンジ状のバッカー材１ｂが配置されている。
【００３１】
幅木用部材１０は、図２，図４ないし図６に示すように、壁部４の下端部の表面に当接される上部垂直部１１と、この上部垂直部１１の下端に延在し、壁部４と床スラブ１の表面に当接される下部裾部１２と、この下部裾部１２に長手通しに設けられる中空部１３と、を具備している。この場合、下部裾部１２の表面は、上部垂直部１１の下端から下部裾部１２の下端先端に向かって凹状湾曲状に形成されている。なお、下部裾部１２の表面は必ずしも凹状湾曲状に形成されるものではなく、直線状に形成されていてもよい。
【００３２】
幅木用部材１０に設けられる中空部１３は、少なくとも壁部４の表面に当接される垂直面１０ａ及び床スラブ１の表面に当接される水平面１０ｂと平行な垂直内面１３ａ及び水平内面１３ｂを有しており、表面側の内面１３ｃは凹状湾曲面と平行に形成される断面略三角形状に形成されている。
【００３３】
また、幅木用部材１０の上部垂直部１１の表面には、長手通しの凹状取付溝部１４が形成されており、この凹状取付溝部１４の底部中心部には固定部材である固定ねじ３０の取付を容易にするためのＶ字状細条１４ａが設けられている。このＶ字状細条１４ａに拡径テーパ状の取付孔１５が穿設されるようになっている。
【００３４】
前記のように形成される幅木用部材１０は、例えばアルミニウム合金製押出形材あるいは合成樹脂製押出形材にて形成されている。
【００３５】
一方、連結部材２０は、隣接する幅木用部材１０の中空部１３内に嵌挿される一対の嵌合突部２２を突設する基部２１と、この基部２１から壁部側及び床スラブ側に突出するリブ部２３と、を具備している。
【００３６】
この場合、嵌合突部２２は、中空部１３の垂直内面１３ａに接触する垂直面２２ａと中空部１３の水平内面１３ｂに接触する水平面２２ｂと、中空部１３の表面側内面１３ｃと接触する傾斜面２２ｃを有する断面略三角形状に形成されている。また、リブ部２３は、垂直面２２ａに平行な垂直片２３ａと水平面２２ｂに平行な水平片２３ｂとが直交状に形成されている。
【００３７】
前記のように形成される連結部材２０は、例えばＡＢＳ樹脂等の合成樹脂製部材にて形成されている。
【００３８】
次に、前記幅木用部材１０と連結部材２０を用いた施工手順の一例について説明する。まず、１枚の幅木用部材１０を壁部４の最下端の表面と床スラブ１の表面に配置し、上部垂直部１１の凹状取付溝部１４に設けられた拡径テーパ状の取付孔１５を貫通する固定ねじ３０を壁部４にねじ結合して壁部４に固定する。この場合、固定ねじ３０は截頭円錐状の皿状頭部３０ａを有する皿ねじにて形成されており、皿状頭部３０ａが拡径テーパ状の取付孔１５内に収容される。
【００３９】
次に、壁部４に固定された幅木用部材１０に設けられた中空部１３内に連結部材２０に突設された一方の嵌合突部２２を嵌挿する。この際、嵌合突部２２の垂直面２２ａと水平面２２ｂがそれぞれ中空部１３の垂直内面１３ａ及び水平内面１３ｂに接触し、傾斜面２２ｃが湾曲状内面１３ｃの一部と接触するので、中空部１３との間に隙間を残して嵌合突部２２を容易に嵌挿することができる。またこの際、連結部材２０に設けられたリブ部２３の垂直片２３ａを壁部４側に位置させ、水平片２３ｂを床スラブ１側に位置させる。
【００４０】
次に、固定された幅木用部材１０に連結する別の幅木用部材１０を壁部４の最下端の表面と床スラブ１の表面に配置すると共に、この幅木用部材１０に設けられた中空部１３内に、固定された幅木用部材１０の中空部１３に一方の嵌合突部２２が嵌挿された連結部材２０の他方の嵌合突部２２を嵌挿して、幅木用部材１０を配置する。その後、上部垂直部１１の凹状取付溝部１４に設けられた拡径テーパ状の取付孔１５を貫通する固定ねじ３０を壁部４にねじ結合して壁部４に固定する。
【００４１】
以下同様に、連結部材２０を介して幅木用部材１０を配置し、固定ねじ３０にて固定する。幅木用部材１０を固定した後、リブ部２３によって幅木用部材１０の連結部に生じた隙間にコーキング材４０を充填する。また、幅木用部材１０の上部垂直部１１の上端部と壁部４との間の隙間にもコーキング材４０を充填する。更に、幅木用部材１０に設けられた凹状取付溝部１４の開口部に化粧板５０を被着して固定ねじ３０の頭部３０ａを外部から目隠しする。
【００４２】
前記実施形態では、壁部４の直線部に幅木用部材１０を連結して配置する場合について説明したが、壁部４の出隅部においては、図７に示す出隅用連結部材２０Ａを用いて壁部４の出隅部４Ａに幅木用部材１０を連結して配置することができる。
【００４３】
この場合、出隅用連結部材２０Ａは、図７に示すように、基部２１の対向する辺部に突設される一対の嵌合突部２２Ａが互いに直交状に形成されており、リブ部２３Ａが基部２１の下端に延在する水平片２３ｄと、基部２１から両嵌合突部２２Ａのなす角度（９０度）の内角側に延在する垂直片２３ｃとで形成されている。なお、本実施形態において、その他の部分は前記第１実施形態と同じであるので説明は省略する。
【００４４】
出隅用連結部材２０Ａを用いて幅木用部材１０を連結する場合には、図８に示すように、幅木用部材１０の端部を下部裾部１２の先端から基端の垂直面に向かって４５度に切断したものを用意する。そして、上述と同様に、幅木用部材１０を壁部４の出隅部４Ａの一方の面の最下端の表面と床スラブ１の表面に配置し、上部垂直部１１の凹状取付溝部１４に設けられた拡径テーパ状の取付孔１５を貫通する固定ねじ３０を壁部４にねじ結合して壁部４に固定する。
【００４５】
次に、壁部４に固定された幅木用部材１０に設けられた中空部１３内に出隅用連結部材２０Ａに突設された一方の嵌合突部２２Ａを嵌挿する。この際、出隅用連結部材２０Ａに設けられたリブ部２３Ａの垂直片２３ｃを壁部４側に位置させ、水平片２３ｄを床スラブ１側に位置させる。
【００４６】
次に、固定された幅木用部材１０に連結する別の幅木用部材１０を壁部４の出隅部４Ａの他方の面の最下端の表面と床スラブ１の表面に配置すると共に、この幅木用部材１０に設けられた中空部１３内に、固定された幅木用部材１０の中空部１３に一方の嵌合突部２２Ａが嵌挿された出隅用連結部材２０Ａの他方の嵌合突部２２Ａを嵌挿して、幅木用部材１０を配置する。その後、上部垂直部１１の凹状取付溝部１４に設けられた拡径テーパ状の取付孔１５を貫通する固定ねじ３０を壁部４にねじ結合して壁部４に固定する。
【００４７】
幅木用部材１０を固定した後、リブ部２３Ａによって幅木用部材１０の連結部に生じた隙間にコーキング材４０を充填する。また、幅木用部材１０の上部垂直部１１の上端部と壁部４との間の隙間にもコーキング材４０を充填する。更に、幅木用部材１０に設けられた凹状取付溝部１４の開口部に化粧板５０を被着して固定ねじ３０の頭部３０ａを外部から目隠しする。
【００４８】
また、壁部４の入隅部においては、図９に示す入隅用連結部材２０Ｂを用いて壁部４の入隅部４Ｂに幅木用部材１０を連結して配置することができる。
【００４９】
この場合、入隅用連結部材２０Ｂは、図９に示すように、基部２１の対向する辺部に突設される一対の嵌合突部２２Ｂが互いに直交状に形成されており、リブ部２３Ｂが基部２１の下端に延在する水平片２３ｆと、基部２１から両嵌合突部２２Ｂのなす角度（９０度）の外角側に延在する垂直片２３ｅとで形成されている。なお、本実施形態において、その他の部分は前記第１実施形態と同じであるので説明は省略する。
【００５０】
入隅用連結部材２０Ｂを用いて幅木用部材１０を連結する場合には、図１０に示すように、幅木用部材１０の端部を基端の垂直面側から下部裾部１２の先端から向かって４５度に切断したものを用意する。そして、上述と同様に、幅木用部材１０を壁部４の入隅部４Ｂの一方の面の最下端の表面と床スラブ１の表面に配置し、上部垂直部１１の凹状取付溝部１４に設けられた拡径テーパ状の取付孔１５を貫通する固定ねじ３０を壁部４にねじ結合して壁部４に固定する。
【００５１】
次に、壁部４に固定された幅木用部材１０に設けられた中空部１３内に入隅用連結部材２０Ｂに突設された一方の嵌合突部２２Ｂを嵌挿する。この際、入隅用連結部材２０Ｂに設けられたリブ部２３Ｂの垂直片２３ｅを壁部４側に位置させ、水平片２３ｆを床スラブ１側に位置させる。
【００５２】
次に、固定された幅木用部材１０に連結する別の幅木用部材１０を壁部４の入隅部４Ｂの他方の面の最下端の表面と床スラブ１の表面に配置すると共に、この幅木用部材１０に設けられた中空部１３内に、固定された幅木用部材１０の中空部１３に一方の嵌合突部２２Ｂが嵌挿された入隅用連結部材２０Ｂの他方の嵌合突部２２Ｂを嵌挿して、幅木用部材１０を配置する。その後、上部垂直部１１の凹状取付溝部１４に設けられた拡径テーパ状の取付孔１５を貫通する固定ねじ３０を壁部４にねじ結合して壁部４に固定する。
【００５３】
幅木用部材１０を固定した後、リブ部２３Ｂによって幅木用部材１０の連結部に生じた隙間にコーキング材４０を充填する。また、幅木用部材１０の上部垂直部１１の上端部と壁部４との間の隙間にもコーキング材４０を充填する。更に、幅木用部材１０に設けられた凹状取付溝部１４の開口部に化粧板５０を被着して固定ねじ３０の頭部３０ａを外部から目隠しする。
【００５４】
前記のように構成されるこの発明の実施形態によれば、連結部材２０，出隅用連結部材２０Ａ，入隅用連結部材２０Ｂに突設された嵌合突部２２，２２Ａ，２２Ｂを幅木用部材１０に設けられた中空部１３内に嵌挿して隣接する幅木用部材１０を連結した状態で、連結部材２０，２０Ａ，２０Ｂに設けられたリブ部２３，２３Ａ，２３Ｂを壁部４側及び床スラブ１側に配置することができるので、幅木用部材１０同士の連結を容易にすることができると共に、幅木用部材１０に設ける中空部１３をなるべく少なくして防塵及び気水密性の向上を図ることができる。
【００５５】
また、連結部材２０，２０Ａ，２０Ｂを幅木用部材１０に嵌合して連結するため、幅木用部材１０同士の位置ずれが起きにくく、優れた外観を呈することができる。また、連結部材２０，２０Ａ，２０Ｂが幅木用部材１０の表面に露出しないため、外観上連結部材２０，２０Ａ，２０Ｂが見えず、優れた外観を呈することができる。
【００５６】
更には、連結部材２０，２０Ａ，２０Ｂのリブ部２３，２３Ａ，２３Ｂを、コーキング材４０が充填されにくい壁部４側や床スラブ１（床部）側に設けることで、コーキング材４０の充填効率の向上及びそれに伴う気水密性の向上を図ることができる。
【００５７】
また、幅木用部材１０に設けられた中空部１３の垂直内面１３ａと水平内面１３ｂの連結部材２０，２０Ａ，２０Ｂに設けられた嵌合突部２２，２２Ａ，２２Ｂの垂直面２２ａと水平面２２ｂを密接させた状態で嵌合することができると共に、リブ部２３，２３Ａ，２３Ｂの垂直片２３ａ，２３ｃ，２３ｅと水平片２３ｂ，２３ｄ，２３ｆを壁部４と床スラブ１に直交状に配置することができるので、幅木用部材１０の連結を強固にできると共に、防塵及び気水密性の向上を図ることができる。
【００５８】
また、出隅用連結部材２０Ａ，入隅用連結部材２０Ｂを用いることにより、壁部４の出隅部４Ａや入隅部４Ｂにおける幅木用部材１０の連結を容易にすることができる。
【００５９】
また、リブ部２３，２３Ａ，２３Ｂがバックアップ材となって幅木用部材１０の連結部の隙間にコーキング材４０を充填することができるので、コーキング材の充填を容易にすることができると共に、防塵及び気水密性の向上が図れる。
【００６０】
また、幅木用部材１０に設けられた凹状取付溝部１４の拡径テーパ状の取付孔１５を貫通する固定ねじ３０によって幅木用部材１０を壁部４に固定することができ、固定ねじ３０の頭部３０ａを化粧板５０によって目隠しすることができるので、幅木用部材１０の壁部４への固定を容易にすることができ、固定ねじ３０の頭部３０ａに塵埃が付着するのを抑制することができると共に、外観が損なわれるのを防止することができる。
【００６１】
なお、上記実施形態では、固定ねじ３０によって幅木用部材１０を壁部４に固定する場合について説明したが、この発明はこれに限定されるものではなく、固定ねじ３０を用いずに、幅木用部材１０の裏面に接着剤又はコーキング材４０を接着剤代わりに塗布して接着するようにしてもよい。
【符号の説明】
【００６２】
１  床スラブ（床部）
４  壁部
４Ａ  出隅部
４Ｂ  入隅部
１０  幅木用部材
１１  上部垂直部
１２  下部裾部
１３  中空部
１３ａ  垂直内面
１３ｂ  水平内面
１３ｃ  表面側内面
１４  凹状取付溝部
１５  取付孔
２０  連結部材
２０Ａ  出隅用連結部材
２０Ｂ  入隅用連結部材
２１  基部
２２，２２Ａ，２２Ｂ  嵌合突部
２２ａ  垂直面
２２ｂ  水平面
２２ｃ  傾斜面
２３，２３Ａ，２３Ｂ  リブ部
２３ａ，２３ｃ，２３ｅ  垂直片
２３ｂ，２３ｄ，２３ｆ  水平片
３０  固定ねじ（固定部材）
３０ａ  皿状頭部
４０  コーキング材
５０  化粧板
【図１】
2014105526.tif 000003
【図２】
2014105526.tif 000004
【図３】
2014105526.tif 000005
【図４】
2014105526.tif 000006
【図５】
2014105526.tif 000007
【図６】
2014105526.tif 000008
【図７】
2014105526.tif 000009
【図８】
2014105526.tif 000010
【図９】
2014105526.tif 000011
【図１０】
2014105526.tif 000012